【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
Ｎ個(Ｎは１７以上の整数)の監視ノードを具え、各監視ノードは、該監視ノードの位置場面のライブオーディオフィード及びライブビデオフィードを提供するようになし、
モニタリングノードを具え、該モニタリングノードは、Ｎ個の監視ノードに連繋されたディスプレイを有しており、
監視ノードで所定のイベントが起こったとき、監視ノードのライブ場面と、所定イベントの前、途中及び後の所定時間におけるノードの記録場面とを、同時に連続的にディスプレイ上に表示するコントローラを具えており、該コントローラは、モニタリングノード及びＮ個の監視ノードに連繋されており、
ＡＴＭネットワークを具え、該ネットワークを通じて、Ｎ個の監視ノード、モニタリングノード及びコントローラの通信が行われ、
監視ノードの位置経由のアクセスを管理するアクセス制御システム(ＡＣＳ)を具え、該アクセス制御システムは、監視ノードに連繋されているセキュリティシステム。
【請求項２】
各監視ノードは、夫々の監視ノードの位置から音声を受信するオーディオソースを含んでおり、コントローラは、ライブ場面又は記録場面のどちらかと関連づけられた監視ノードからの音声を再生する請求項１に記載のシステム。
【請求項３】
各ビデオソースからリアルタイムビデオを連続的に記録するデジタルビデオ記録及び格納システム(ＤＶＲＳ)を含み、ＤＶＲＳはＤＶＴＳに連繋されている請求項２に記載のシステム。
【請求項４】
ＡＴＭネットワークはケーブルシステム及び回路を含み、該ＡＴＭネットワークのケーブルシステム及び回路を管理し記録するケーブル管理システム(ＣＭＳ)を含んでいる請求項３に記載のシステム。
【請求項５】
モニタリングノードは、監視ノードと通信し、監視ノードに指令を送るセキュリティオペレータワークステーション(ＳＯＷ)を含んでいる請求項４に記載のシステム。
【請求項６】
ＳＯＷは、ディスプレイを有するＧＵＩ(Graphical User Interface)を有し、所定の監視ノードに関するマップ、所定の監視ノードの位置のライブビデオウインドウ及び記録ビデオ再生ウインドウを示す動作スクリーンを有している請求項５に記載のシステム。
【請求項７】
ビデオソースはカメラを含み、ＳＯＷは所定位置の所望視野が得られるようにカメラの照準を合わせる請求項６に記載のシステム。
【請求項８】
セキュリティ機器ルーム(ＳＥＲｓ)を含み、各ＳＥＲはエンコーダを有しており、該エンコーダは、夫々のＳＥＲに連繋された監視ノードのカメラからのビデオを受信し、該ビデオを圧縮し、圧縮されたビデオをＡＴＭネットワークに伝送する請求項７に記載のシステム。
【請求項９】
Ｎ個(Ｎは２以上の整数)の監視ノードを具え、各監視ノードは、監視ノードの位置場面のビデオソースを提供するようになし、
モニタリングノードを具え、該モニタリングノードは、Ｎ個の監視ノードに連繋されたディスプレイを有しており、
監視ノードで所定のイベントが起こったとき、監視ノードのライブ場面と、所定イベントの前、途中及び後の所定時間におけるノードの記録場面とを、同時に連続的にディスプレイ上に表示するコントローラを具えており、該コントローラは、モニタリングノード及びＮ個の監視ノードに連繋されており、
ＡＴＭネットワークを具え、該ネットワークを通じて、Ｎ個の監視ノード、モニタリングノード及びコントローラの通信が行われるセキュリティシステム。
【請求項１０】
セキュリティを維持する方法であって、
Ｎ個の監視ノード(Ｎは１７以上の整数)について、デジタルビデオトランスポートシステム(ＤＶＴＳ)により、各監視ノードの位置場面のライブオーディオフィード及びライブビデオフィードを提供するステップと、
各ビデオソースからのリアルタイムビデオを、ＤＶＴＳに連繋されたデジタルビデオ記録及び格納システム(ＤＶＲＳ)により、連続的に記録するステップと、
ＡＴＭネットワークを通じて、Ｎ個の監視ノード、モニタリングノード及びコントローラの間で通信を行なうステップと、
モニタリングノード及びＮ個の監視ノードに連繋されたコントローラを有し、該コントローラにより、Ｎ個の監視ノードに連繋されたモニタリングノードのディスプレイ上に、監視ノードに所定イベントが起こったときの監視ノードのライブ場面と、所定イベントの前、途中及び後の所定時間におけるノードの記録場面を、同時にかつ連続的に表示するステップと、
監視ノードに連繋されたアクセスコントロールシステム(ＡＣＳ)により、監視ノード位置経由のアクセスを操作するステップと、
を有している方法。
【請求項１１】
各監視ノードは、夫々の監視ノードの位置から音声を受信するオーディオソースを含んでおり、コントローラにより、ライブ場面又は記録場面のどちらかと関連づけられた監視ノード位置からの音声を再生するステップを有している請求項１０に記載の方法。
【請求項１２】
ビデオソースを提供するステップは、ケーブル管理システム(ＣＭＳ)により、ＡＴＭネットワークのケーブルシステム及び回路を記録し操作するステップを含んでいる請求項１１に記載の方法。
【請求項１３】
ＡＴＭネットワーク(26)に連繋されたネットワーク管理システム(ＮＭＳ)により、ＡＴＭネットワークの故障及び運転状態をモニターするステップを有している請求項１２に記載の方法。
【請求項１４】
ビデオソースを提供するステップは、監視ノードとモニタリングノードのセキュリティオペレータワークステーション(ＳＯＷ)との通信を行ない、ＳＯＷからの指令を監視ノードへ送信するステップを有している請求項１３に記載の方法。
【請求項１５】
表示するステップは、ディスプレイの動作スクリーンの上に、所定の監視ノードに関するマップ、所定の監視ノードの位置のライブビデオウインドウ及び記録ビデオ再生ウインドウを表示するステップを含んでいる請求項１４に記載の方法。
【請求項１６】
前記位置の所望の場面を得るために、ＳＯＷを用いて、ビデオソースのカメラの照準を合わせるステップを有している請求項１５に記載の方法。
【請求項１７】
ＳＯＷを用いて、ＤＶＲＳ、ＡＣＳ及びＤＶＴＳを制御するステップを有している請求項１６に記載の方法。
【請求項１８】
監視ノードのカメラからの映像を、監視ノードに連繋された各セキュリティ機器ルーム(ＳＥＲ)のエンコーダで受信し、受信した映像をエンコーダによって圧縮し、圧縮された映像をエンコーダによってＡＴＭネットワークに伝送するステップを有している請求項１７に記載の方法。
【請求項１９】
セキュリティを維持する方法であって、
Ｎ個の監視ノード(Ｎは２以上の整数)について、各監視ノードの位置場面のビデオソースを提供するステップと、
モニタリングノード及びＮ個の監視ノードに連繋されたコントローラを有し、該コントローラにより、Ｎ個の監視ノードに連繋されたモニタリングノードのディスプレイ上に、監視ノードに所定イベントが起こったときの監視ノードのライブ場面と、所定イベントの前、途中及び後の所定時間における監視ノードの記録場面とを、同時にかつ連続的に表示するステップと、
ＡＴＭネットワークを通じて、Ｎ個の監視ノード、モニタリングノード及びコントローラとの間で通信を行なうステップと、
を有している方法。
【請求項２０】
Ｎ個(Ｎは１７以上の整数)の監視ノードを具え、各監視ノードは、該監視ノードの所定位置場面のビデオソースを提供するようになし、該位置は、制御されたドアアクセスサブシステムを有しており、
モニタリングノードを具え、該モニタリングノードは、Ｎ個の監視ノードに連繋されたディスプレイを有しており、
監視ノードの制御されたドアアクセスサブシステムでイベントが起こったとき、監視ノードのライブ場面と、該イベントの前、途中及び後の所定時間における監視ノードの記録場面とを、ディスプレイ上に同時かつ連続的に表示するコントローラを具え、該コントローラは、モニタリングノード及びＮ個の監視ノードに連繋され、さらにドアアクセスサブシステムを制御するようになし、
相手選択接続を有するＡＴＭネットワークを具え、該ネットワークを通じて、Ｎ個の監視ノード、モニタリングノード及びコントローラの通信が行われており、該ＡＴＭネットワークは、複数のスイッチを有しており、単一のどのスイッチ故障にも耐えることができることを特徴とするセキュリティシステム。
【請求項２１】
セキュリティを維持する方法であって、
Ｎ個の監視ノード(Ｎは１７以上の整数)の各監視ノードについて、制御されたドアアクセスサブシステムを有する位置場面のビデオソースを提供するステップと、、
モニタリングノード及びＮ個の監視ノードに連繋されたコントローラを有し、該コントローラにより、Ｎ個の監視ノードに連繋されたモニタリングノードのディスプレイ上に、監視ノードの制御されたドアアクセスサブシステムでイベントが起こったときの監視ノードのライブ場面と、前記イベントの前、途中及び後の所定時間におけるノードの記録場面とを、同時かつ連続的に表示するステップと、
コントローラでドアアクセスサブシステムを制御するステップと、
ＡＴＭネットワークの相手選択接続を通じて、Ｎ個の監視ノード、モニタリングノード及びコントローラとの間で通信を行なうステップとを有しており、前記ＡＴＭネットワークは、複数のスイッチを有し、単一のどのスイッチ故障にも耐えることができることを特徴とする方法。